(57)【要約】【課題】スリーブの変位を抑制して、高い信頼性で安定した光伝送を実現できる光レセプタクルおよび光モジュールを提供する。【解決手段】光レセプタクル７は、外部から挿入されるプラグフェルール１０と当接して、光学的接続を行うためのファイバスタブ１と、プラグ挿入空間を確保するようにファイバスタブ１が挿入され、プラグフェルール１０とファイバスタブ１の間の調芯を得るためのスリーブ４と、プラグ挿入用の開口を有し、スリーブ４を収容するためのスリーブケース５ａなどで構成され、スリーブ内でのスタブの挿入長さをＬｓ、保持部材によるスリーブの保持長さをＬｒとして、Ｌｓ≦Ｌｒ＜１．２×Ｌｓを満たす。【選択図】        図１
2006308923.tif 000002
【特許請求の範囲】
【請求項１】
外部から挿入されるプラグと当接して、光学的接続を行うためのスタブと、
プラグ挿入空間を確保するように前記スタブが挿入され、前記プラグと前記スタブの間の調芯を得るためのスリーブと、
プラグ挿入用の開口を有し、スリーブのスタブ挿入側を保持するための保持部材と、を備え、
スリーブ内でのスタブの挿入長さをＬｓ、保持部材によるスリーブの保持長さをＬｒとして、Ｌｓ≦Ｌｒ＜１．２×Ｌｓを満たすことを特徴とする光レセプタクル。
【請求項２】
前記スタブの外径は、前記プラグの外径より大きい、請求項１に記載の光レセプタクル。
【請求項３】
前記スリーブは、長手方向に延びるスリットを有する割りスリーブである、請求項１または２に記載の光レセプタクル。
【請求項４】
請求項１〜３のいずれかに記載の光レセプタクルと、
前記スタブへ光を供給し、または前記スタブから光を受けるための光素子と、を備えることを特徴とする光モジュール。
【発明の詳細な説明】
【技術分野】
【０００１】
本発明は、光ファイバコネクタと光学的に接続可能な光レセプタクル、およびこれを用いた光モジュールに関する。
【背景技術】
【０００２】
光信号を電気信号に変換するための光モジュールは、半導体レーザ（ＬＤ）やフォトダイオード等の光素子をケース内に収納し、光ファイバを通じて光信号を導入又は導出するような構造を有する（特許文献１参照）。
【０００３】
レセプタクル型の光モジュールは、コネクタ接続が可能に構成されており、例えば、図６に示すような光レセプタクル１４の一端にＬＤ等の光素子２２およびレンズ２３を備えるケース２４を配置するとともに、他端では、光コネクタ（ＳＣコネクタ等）のプラグフェルール１５が接続可能である。
【０００４】
ファイバスタブ１６は、ジルコニア、アルミナ等のセラミック材料からなるフェルール１７と、フェルール１７の貫通孔に挿入固定された、石英ガラス等からなる光ファイバ１８とで構成される。ファイバスタブ１６の後端側は、圧入によってホルダ２０に固定される。ファイバスタブ１６の先端側は、スリーブ１９の一方開放端部の内孔に挿入されて把持される。そして、ホルダ２０にスリーブケース２１を圧入又は接着により固定することによって、光レセプタクル１４が得られる。
【０００５】
さらに、上述の光レセプタクル１４を用いて光モジュールを構成する場合、ファイバスタブ１６の後端部側に、上述のような光素子２２およびレンズ２３を収納したケース２４を配置して、光レセプタクル１４とケース２４を溶接により接合する。そして、スリーブ１９の他方の開放端部からプラグフェルール１５を挿入し、ファイバスタブ１６の端面（光ファイバ１８の端面）に当接させることによって光学的接続が行われ、光信号の送受信が可能になる。
【０００６】
近年、高密度実装の要求から光モジュールの小型化が求められており、光レセプタクル１４の全長も短くすることが求められている。また、光レセプタクル１４に接続されるコネクタも、ＳＣコネクタ等から、ＬＣコネクタ等のより小さなコネクタが使用されつつある。
【０００７】
そこで図７に示すように、フェルール１７の貫通孔に光ファイバ１８を挿入固定したファイバスタブ１６と、ファイバスタブ１６およびプラグフェルール１５を把持するためのスリーブ１９と、スリーブ１９の一方の開放端部外周に圧入され、スリーブ１９の自由な変形を拘束する把持リング２５とを備える光レセプタクル２６が提案されている（特許文献２参照）。
【０００８】
特許文献２には、スリーブ１９の内孔における残された長さ（プラグフェルール挿入長さ）Ｌ１、スリーブ１９の内孔への上記フェルールの挿入長さＬ２、把持リング２５の長さＬ３が、Ｌ１＞Ｌ２＞Ｌ３という関係を有する旨が記載されている。また、Ｌ２＞Ｌ３に設定したのは、プラグフェルール１５をスリーブ１９の内孔の奥まで充分に挿入可能とすることにより、プラグフェルール１５の端面とフェルール１７の端面とを適切に接触させるためである旨が記載されている。
【０００９】
【特許文献１】特開２００１−６６４６８号公報
【特許文献２】特許第３３１４６６７号公報
【発明の開示】
【発明が解決しようとする課題】
【００１０】
しかしながら、図７に示すような光レセプタクル２６では、フェルールの挿入長さＬ２と把持リング２５の長さＬ３とがＬ２＞Ｌ３となるように設定されているため、ファイバスタブ１６と把持リング２５との間においてスリーブ１９の把持力を充分に確保できない場合がある。特に、光レセプタクル２６の小型化を図るべく、該光レセプタクル２６の全長を短くする場合において、スリーブ１９の把持力を充分に確保できない傾向が強まる。スリーブ１９の把持力を充分に確保できないと、光コネクタ接続時にプラグフェルール１５に作用する横荷重に起因して、スリーブ１９が揺動しやすくなる。その結果、接続損失の再現性が悪くなるという、いわゆるウイグル(wiggle)特性の悪化問題が生ずる。
【００１１】
また、スリーブ１９の把持力を充分に確保できないことに起因してスリーブ１９の把持状態が不安定になると、相互の光ファイバ接続部にすべりが生じやすくなる。その結果、光ファイバ１８の端面に傷がつくことがあり、光信号の伝送が困難になる場合があった。
【００１２】
本発明は、このような事情のもとで考え出されたものであって、ウイグル(wiggle)特性および光信号の伝送における信頼性を良好に保つことを、目的とする。
【課題を解決するための手段】
【００１３】
本発明に係る光レセプタクルは、外部から挿入されるプラグと当接して、光学的接続を行うためのスタブと、プラグ挿入空間を確保するようにスタブが挿入され、プラグとスタブの間の調芯を得るためのスリーブと、プラグ挿入用の開口を有し、スリーブのスタブ挿入側を保持するための保持部材と、を備え、スリーブ内でのスタブの挿入長さをＬｓ、保持部材によるスリーブの保持長さをＬｒとして、Ｌｓ≦Ｌｒ＜１．２×Ｌｓを満たすことを特徴とする。
【００１４】
本発明において、スタブの外径は、プラグの外径より大きいことが好ましい。
【００１５】
また本発明において、スリーブは、長手方向に延びるスリットを有する割りスリーブであることが好ましい。
【００１６】
さらに、本発明に係る光モジュールは、上述の光レセプタクルと、スタブへ光を供給し、またはスタブから光を受けるための光素子とを備えることを特徴とする。
【発明の効果】
【００１７】
本発明によれば、保持部材によるスリーブの保持長さＬｒを、スタブ挿入長さＬｓと実質的に等しいか、またはそれ以上に設定することによって、スリーブの保持長さＬｒが従来より格段に増加するため、例えば、プラグ着脱時や光ケーブル敷設時に、過大な荷重がスリーブに作用して、スリーブが揺動したり変形しようとしても、スリーブを安定に保持することができる。その結果、接続損失の再現性、いわゆるウイグル(wiggle)特性を大幅に改善することができる。
【００１８】
また、スリーブ１９の把持力を充分に確保できることによりスリーブ１９の把持状態が安定化するため、相互の光ファイバ接続部にすべりが生じ難くなる。その結果、光ファイバ１８の端面の損傷を防ぐことができ、光信号の伝送における信頼性を良好に保つことができる。
【００１９】
一方、スリーブの保持長さＬｒが必要以上に長くなると、スリーブの弾性変位量が不当に減少してしまい、プラグをスリーブ内に挿入することが困難になる場合がある。従って、保持部材によるスリーブの保持長さＬｒをスタブ挿入長さＬｓの１．２倍より短く設定することにより、適度なスリーブ弾性を確保することができるので、プラグの挿入作業が容易になる。
【００２０】
また、スタブの外径をプラグの外径より大きく設定することによって、保持部材によってスリーブのスタブ挿入側が強固に保持されている状態でも、プラグの挿入作業が容易になる。
【００２１】
また、長手方向に延びるスリットを有する割りスリーブを使用することによって、スリーブの弾性変位量が増加するため、プラグの挿入作業が容易になり、スリーブによるプラグの把持力も増加する。
【００２２】
また本発明に係る光モジュールでは、スリーブの変位を抑制した光レセプタクルを用いているため、高い信頼性で安定した光伝送を実現することができる。
【発明を実施するための最良の形態】
【００２３】
以下、本発明の実施の形態を図面に基づいて説明する。
【００２４】
図１は、本発明の一実施形態を示す中央断面図である。光レセプタクル７は、ファイバスタブ１と、スリーブ４と、ホルダ５と、把持リング８などで構成される。
【００２５】
ファイバスタブ１は、軸心に貫通孔が形成された円柱状のフェルール２と、この貫通孔に挿入、固定された光ファイバ３などで構成され、外部から挿入されるプラグフェルール１０の端面と当接して、光学的接続を行う。このプラグフェルール１０も、ファイバスタブ１と同様な構造を有し、軸心に貫通孔が形成された円柱状のフェルールと、この貫通孔に挿入、固定された光ファイバなどで構成される。
【００２６】
ファイバスタブ１の先端部１ａは、プラグフェルール１０との接続損失を低減させるため、曲率半径５〜３０ｍｍ程度の曲面状に加工されている。プラグフェルール１０の端面も、同様に、接続損失を低減させるため、曲率半径５〜３０ｍｍ程度の曲面状に加工されている。
【００２７】
ファイバスタブ１の後端部１ｂは、光素子等からの入射光が光ファイバ３の端面で反射して、再び光素子に戻る反射光を防止するため、４〜１０°程度の傾斜面に鏡面研磨されている。
【００２８】
フェルール２の材質は、銅合金、ニッケル合金、ステンレス等の他の金属やエポキシ、液晶ポリマー等のプラスチック、セラミック等を使用することができ、特に、ジルコニアセラミックスで形成することが好ましい。具体的には、ＺｒＯ２を主成分とし、Ｙ２Ｏ３、ＣａＯ、ＭｇＯ、ＣｅＯ２、Ｄｙ２Ｏ３などの少なくとも一種を安定化剤として含み、正方晶の結晶を主体とする部分安定化ジルコニアセラミックスを用いることが好ましく、このような部分安定化ジルコニアセラミックスは、優れた耐摩耗性を有するとともに、適度に弾性変形することから有利である。
【００２９】
スリーブ４は、ファイバスタブ１の外径およびプラグフェルール１０の外径とほぼ一致する内径を有する中空円筒状の部材であって、ファイバスタブ１とプラグフェルール１０の間の調芯を確保する役割を果たす。このスリーブ４は、ファイバスタブ１側に開口した端部４ａと、プラグフェルール１０に開口した端部４ｂとを有し、プラグフェルール１０の挿入空間を確保するように、ファイバスタブ１が端部４ａから挿入される。
【００３０】
スリーブ４として、長手方向に沿ったスリット４ｃを有する割りスリーブを用いることが望ましく、この場合、スリーブ４の内径は、プラグフェルール１０の外径より数μｍ程度小さくなるように形成することが望ましい。こうしたスリット４ｃを設けることによって、スリーブ４内に挿入されるプラグフェルール１０に対して弾性による把持力が作用する。
【００３１】
スリーブ４の材質は、例えば、燐青銅、ベリリウム銅、黄銅、ステンレス等の他の金属やエポキシ、液晶ポリマー等のプラスチック、セラミック等を使用することができ、特に、ジルコニアセラミックスで形成することが好ましい。具体的には、ＺｒＯ２を主成分とし、Ｙ２Ｏ３、ＣａＯ、ＭｇＯ、ＣｅＯ２、Ｄｙ２Ｏ３などの少なくとも一種を安定化剤として含み、正方晶の結晶を主体とする部分安定化ジルコニアセラミックスを用いることが好ましく、このような部分安定化ジルコニアセラミックスは、優れた耐摩耗性を有するとともに、適度に弾性変形することから有利である。
【００３２】
スリーブ４の加工方法としては、例えば、ジルコニアセラミックスで形成する場合、予め射出成形、プレス成形、押出成形等の所定の成形法によってスリーブとなる円筒状の成形体を得、その後、その成形体を１３００〜１５００℃で焼成し、所定の寸法に研削加工または研磨加工を施す。なお、成形体に切削加工等によって予め所定の形状を形成しておき、その後焼成を行ってもよい。また、スリーブ４をプラスチックで形成する場合、金型を工夫すればいかなる形状でも容易に製造できるという利点がある。
【００３３】
ホルダ５は、プラグ挿入用の開口を有する中空円筒状の部材であって、スリーブ４を内部に収容するために、スリーブ４の外径よりわずかに大きな内径のプラグ側内部空間と、把持リング８を圧入するために、プラグ側内部空間より大きな内径のスタブ側内部空間とを有する。また、プラグ挿入用の開口は、プラグフェルール１０の外径よりわずかに大きな内径を有し、テーパー形状の開口端部とともに、プラグフェルール１０の挿入を案内する役割を果たす。
【００３４】
このホルダ５のファイバスタブ１側の端面に、光源や受光素子などの光素子を収納したケースを接合することによって、光モジュールを構成することができる。ホルダ５と光素子ケースを溶接で接合する場合、ホルダ５の材質としてステンレス、銅、鉄、ニッケルなどの溶接可能な材料が用いられるが、主には耐腐食性と溶接性を考慮して、ステンレスを用いることが好ましい。
【００３５】
ホルダ５のスタブ側内面は、把持リング８の外面と嵌合することから、この嵌合面の算術平均粗さ（Ｒａ）は、加工性および製造コストの点で０．１μｍ以上あることが好ましい。
【００３６】
把持リング８は、中空円筒状の部材であって、ホルダ５のスタブ側内部空間の内径よりわずかに小さな外径と、スリーブ４のスタブ側外径よりわずかに大きな内径とを有する。ファイバスタブ１が挿入されたスリーブ４をホルダ５に挿入した状態で、スリーブ４とホルダ５との間隙に把持リング８を圧入することによって、スリーブ４を強固に保持することができる。
【００３７】
把持リング８の材質は、スリーブ４と同様に、例えば、燐青銅、ベリリウム銅、黄銅、ステンレス等の他の金属やエポキシ、液晶ポリマー等のプラスチック、セラミック等を使用することができ、特に、ジルコニアセラミックスで形成することが好ましい。具体的には、ＺｒＯ２を主成分とし、Ｙ２Ｏ３、ＣａＯ、ＭｇＯ、ＣｅＯ２、Ｄｙ２Ｏ３などの少なくとも一種を安定化剤として含み、正方晶の結晶を主体とする部分安定化ジルコニアセラミックスを用いることが好ましく、このような部分安定化ジルコニアセラミックスは、優れた耐摩耗性を有するとともに、適度に弾性変形することから有利である。
【００３８】
本実施形態では、スリーブ４内でのファイバスタブ１の挿入長さをＬｓ、把持リング８によるスリーブ４の保持長さをＬｒとして、Ｌｓ≦Ｌｒ＜１．２×Ｌｓという関係を満たすように設計している。
【００３９】
即ち、把持リング８によるスリーブ４の保持長さＬｒを、スタブ挿入長さＬｓと実質的に等しいか、またはそれ以上に設定することによって、スリーブの保持長さＬｒが従来より格段に増加する。そのため、例えば、プラグ着脱時や光ケーブル敷設時に、過大な荷重がスリーブ４に作用して、スリーブ４が揺動や変形をしようとしても、スリーブ４を安定保持することができる。その結果、接続損失の再現性、いわゆるウイグル(wiggle)特性を大幅に改善することができる。また、スリーブ４の把持力を充分に確保できることによりスリーブ４の把持状態が安定化するため、プラグフェルール１０とファイバスタブ１との間の当接部において相対的なすべりが生じ難くなる。その結果、光ファイバ３の端面の損傷を防ぐことができ、光信号の伝送における信頼性を良好に保つことができる。
【００４０】
また、把持リング８によるスリーブ４の保持長さＬｒが適切な範囲（Ｌｓ≦Ｌｒ＜１．２×Ｌｓ）に設計されているので、適度なスリーブ弾性を確保することができ、プラグフェルール１０の挿入作業が容易になる。
【００４１】
また本実施形態では、ファイバスタブ１の外径を、外部から挿入されるプラグフェルール１０の外径より大きくなるように設計している。例えば、ファイバスタブ１の外径は、プラグフェルール１０の外径よりも０．５〜１．４μｍ程度大きくすることが好ましい。
【００４２】
例えば、ＳＣコネクタの場合、フェルールの外径規格が、φ２．４９９±０．０００５ｍｍであっても、一般に流通している大部分のフェルールの外径は、φ２．４９８８〜２．４９９２ｍｍの範囲に収まっていることから、ファイバスタブ１を構成するフェルール２の外径は、φ２．４９９７〜２．５００２ｍｍの範囲に設定することが好ましい。これにより、把持リング８の圧入によってスリーブ４が締めつけられた状態であっても、プラグフェルール１０の外径がフェルール２の外径よりも僅かに小さいため、プラグフェルール１０の挿入作業が容易になる。
【００４３】
さらに、スリーブ４のスリット幅は、スタブ挿入側よりプラグ挿入側が狭くなるように設定することが好ましい。例えば、割りスリーブの内径をφ２．４９３ｍｍに設定し、フェルール２の外径は、上述のようにφ２．４９９７〜２．５００２ｍｍに設定して、光レセプタクル７に組み込んだ場合、割りスリーブのスタブ挿入側の内径は、φ２．４９９７ｍｍより大きく拡径するのに対し、プラグ挿入側の内径は拡大しないでφ２．４９３ｍｍのままである。よって、割りスリーブのファイバスタブ１の先端部１ａでのスリット幅をＳ１とし、プラグ挿入側の端部４ｂでのスリット幅をＳ２としたときに、Ｓ１＞Ｓ２の関係が成り立つ。
【００４４】
これにより、スリーブ４の内径がスタブ挿入側よりプラグ挿入側が小さくなることから、プラグフェルール１０の外径がファイバスタブ１の外径より小さい場合であっても、プラグフェルール１０とファイバスタブ１の間の調芯を確実に達成することができる。
【００４５】
図２は、プラグフェルール１０を光レセプタクル７に挿入した状態を示す断面図である。なお、プラグフェルール１０の形状を仮想線の２点鎖線で示している。プラグフェルール１０をスリーブ４に挿入すると、スリーブ４の弾性変形によりスリット４ｃがほぼ平行状態になって、プラグフェルール１０を確実に把持することができる。その結果、ファイバスタブ１とプラグフェルール１０の間の調芯が達成され、光学当接面での接続損失を極力抑制することができる。
【００４６】
図３（ａ），図３（ｂ）は、本発明の他の実施形態を示す中央断面図である。まず図３（ａ）は、ホルダ５とスリーブケース６とを別部材とした場合を示す。この場合、組み立てが容易になるという長所を有する。スリーブケース６は、ホルダ５と安定して接続させるためのものであり、耐摩耗性、溶接性を配慮する必要がないため、ステンレス、銅、鉄、ニッケル、プラスチック、ジルコニア、アルミナなどの幅広い材料が用いられるが、主にはホルダ５と熱膨張係数を一致させて、信頼性を高めるため、ホルダ５と同様、ステンレスを用いることが好ましい。
【００４７】
図３（ｂ）は、ホルダ５と把持リング８とが一体化した場合を示し、スリーブ４は、ホルダ５とファイバスタブ１との間で固定される。この場合、部品点数を少なくすることができ、コストダウンに寄与できる。
【００４８】
図３（ａ），図３（ｂ）に示すいずれの実施形態においても、本発明と同一の効果を奏することができる。
【００４９】
図４（ａ）〜図４（ｆ）は、本発明に係る光レセプタクル７に適用可能なスリーブ４の各種構造を示す断面図である。図４（ａ）のスリーブ４は、スリットを有しない精密スリーブである。また、図４（ｂ）のスリーブ４は、長手方向に沿って端部４ｂから端部４ａまで貫通したスリット４ｃを有する割りスリーブである。また、図４（ｃ）のスリット４ｃは、長手方向に沿って端部４ｂから全長の約２／３の位置まで延びたスリット４ｃを有する部分割りスリーブである。
【００５０】
また、図４（ｄ）〜（ｆ）は、図４（ａ）〜（ｃ）のスリーブ４においてスタブ側端部４ａの外周に段部４ｄを設けたスリーブ４を示す。いずれのスリーブ４においても本発明の同一の効果を奏することができる。
【００５１】
なお、図１に示す本発明の光レセプタクル７を用いて光モジュールを構成する場合は、図５に示すように光レセプタクル７のファイバスタブ１を備えた後端側に、光素子１１とレンズ１２を備えたケース１３を溶接等により接合する。この場合、光素子１１としてＬＤ等の発光素子を使用した場合、光素子１１からの光信号をファイバスタブ２に供給することができる。また、光素子１１としてフォトダイオード等の受光素子を使用した場合、ファイバスタブ２からの光を受けて電気信号に変換することができる。
【実施例】
【００５２】
実施例１として図１に示す光レセプタクル７を用いた光モジュール（図５参照）、比較例１として光レセプタクル１４を用いた光モジュール（図６参照）、比較例２として図７に示す光レセプタクル２６を用いた光モジュール（図８参照）を各１０個試作した。
【００５３】
実施例１および比較例１，２ともに、ジルコニアセラミックス製のフェルールにシングルモード光ファイバを接着固定した、外径φ２．５００ｍｍのファイバスタブを使用し、ホルダに対して光素子とレンズを収納したケースをＹＡＧ溶接して光モジュールを完成した。
【００５４】
また、実施例１および比較例１，２ともに、ジルコニアセラミックスで形成した割りスリーブを使用し、いずれも図４（ｂ）に示すような貫通したスリット形状とした。本発明のスリーブ４は、内径φ２．４９３ｍｍ、厚み０．４５ｍｍ、スリット幅０．５ｍｍ、幅広部のスリット幅０．８ｍｍとした。また、比較例のスリーブ１９は、内径φ２．４９３ｍｍ、厚み０．４５ｍｍ、スリット幅０．５ｍｍとした。
【００５５】
ここで、実施例１の光レセプタクル７におけるＬｓ、Ｌｒ、Ｌｐは、それぞれ５．８５ｍｍ、４ｍｍ、４ｍｍとした。比較例１の光レセプタクル１４では、Ｌ１、Ｌ２、Ｌ３をそれぞれ５．８５ｍｍ、５．８５ｍｍ、０ｍｍとした。比較例２の光レセプタクル２６では、Ｌ１、Ｌ２、Ｌ３をそれぞれ５．８５ｍｍ、４ｍｍ、２ｍｍとした。
【００５６】
そして、各光モジュールにプラグフェルールを挿入した状態で、プラグフェルールの後部（光学端面から５０ｍｍの位置）に、光ファイバコードの自重として下向きに３Ｎ（ニュートン）、５Ｎの荷重をそれぞれ印加して、プラグフェルールとファイバスタブとの間の接続損失の変動値を確認した。
【００５７】
その平均値の結果を（表１）に示す。
【００５８】
【表１】
2006308923.tif 000003
【００５９】
（表１）より、比較例１の光モジュールの接続損失の変動値は３Ｎと５Ｎで０．４９ｄＢ、０．８３ｄＢとなり、比較例２の光モジュールの接続損失の変動値は３Ｎと５Ｎで０．１７ｄＢ、０．３５ｄＢと変動が大きかったのに対して、実施例１では、３Ｎと５Ｎで０．０８ｄＢ、０．１３ｄＢとかなり変動値を小さな値に抑えることができた。
【００６０】
これにより、安定した保持状態を保つことが可能となり、プラグフェルール１０とファイバスタブ２との相互の光ファイバ接続部にすべりが生じることなく、光ファイバ３の端面を痛めず、光信号の導入導出に於ける信頼性を向上させることができた。
【産業上の利用可能性】
【００６１】
本発明によれば、スリーブの変位を抑制して、高い信頼性で安定した光伝送を実現できる光レセプタクルおよび光モジュールを実現することができ、産業上極めて有用である。
【図面の簡単な説明】
【００６２】
【図１】本発明の一実施形態を示す中央断面図である。
【図２】プラグフェルール１０を光レセプタクル７に挿入した状態を示す断面図である。
【図３】本発明の他の実施形態を示す中央断面図である。
【図４】本発明に係る光レセプタクル７に適用可能なスリーブ４の各種構造を示す断面図である。
【図５】本発明に係る光モジュールを示す中央断面図である。
【図６】従来の光モジュールの一例を示す中央断面図である。
【図７】従来の光レセプタクルの一例を示す中央断面図である。
【図８】従来の光モジュールの他の例を示す中央断面図である。
【符号の説明】
【００６３】
１：ファイバスタブ
１ａ：先端部
１ｂ：後端部
２：フェルール
３：光ファイバ
４：スリーブ
４ａ，４ｂ：端部
４ｃ：スリット
５：ホルダ
６：スリーブケース
７：光レセプタクル
８：把持リング
１０：プラグフェルール
１１：光素子
１２：レンズ
１３：ケース
【図１】
2006308923.tif 000004
【図２】
2006308923.tif 000005
【図３】
2006308923.tif 000006
【図４】
2006308923.tif 000007
【図５】
2006308923.tif 000008
【図６】
2006308923.tif 000009
【図７】
2006308923.tif 000010
【図８】
2006308923.tif 000011